(57)【要約】      （修正有）【課題】においを除去できるアロマセラピー機能付きリキッドハンドソープマシンを提供する。【解決手段】リキッドハンドソープマシンは、ケース１と、保存瓶２と、バブルポンプと、および霧化装置とを含み、保存瓶２はケース１の底部に設置されており、バブルポンプは保存瓶２に連通し、ケース１内の洗手液を吸い取り、バブル化させるように構成されており、ケース１上に出液口１１が設置され、出液口１１はバブルポンプに連通し、バブルポンプで吸い取ったバブル化した液体を出液口１１を介して排出させるように構成されており、霧化装置は、ケース１外に水噴霧を排出するようにケース１内に取り付けられている。霧化装置の設計によって、手を洗う液機は自動的に手を洗う液以外にも噴霧できる。トイレ内の臭いを隠すために、手を洗う液機の機能を追加した。トイレの中には別途の薫製設備を置かなくてもよく、トイレの空間を節約した。【選択図】図１
0003233307.tif 000002
【実用新案登録請求の範囲】
【請求項１】
アロマセラピー機能付きリキッドハンドソープマシンであって、
ケース１と、保存瓶２と、バブルポンプ３と、および霧化装置とを含み、
前記保存瓶２はケース１の底部に設置されており、
前記バブルポンプ３は保存瓶２に連通し、ケース１内の洗手液を吸い取り、バブル化させ
るように構成されており、
前記ケース１上に出液口１１が設置され、前記出液口１１はバブルポンプ３に連通し、前
記バブルポンプ３で吸い取ったバブル化した液体を出液口１１を介して排出させるように
構成されており、
前記霧化装置は、ケース１外に水噴霧を排出するようにケース１内に取り付けられている
、
ことを特徴とするアロマセラピー機能付きリキッドハンドソープマシン。
【請求項２】
前記霧化装置は、アロマセラピー瓶５１と、霧化フィルム５２と、綿棒５３とを含み、
前記アロマセラピー瓶５１の内でアロマセラピー液を保存するように構成されており、
前記綿棒５３は、アロマセラピー瓶５１に嵌合し、アロマセラピー瓶５１内に保存するア
ロマセラピー液を吸着するように構成されており、
前記霧化フィルム５２は綿棒５３の上端部に接触するように構成されている、
ことを特徴とする請求項１に記載のアロマセラピー機能付きリキッドハンドソープマシン
。
【請求項３】
前記霧化フィルム５２は超声波振動フィルムである、
ことを特徴とする請求項２に記載のアロマセラピー機能付きリキッドハンドソープマシン
。
【請求項４】
前記ケース１に端蓋６が設けられ、前記端蓋６に水噴霧口６１が設けられている、
ことを特徴とする請求項３に記載のアロマセラピー機能付きリキッドハンドソープマシン
。
【請求項５】
前記ケース１内にさらに取付フレーム７が取付けられ、前記取付フレーム７は第１の取付
空間７１と第２の取付空間７２を備えており、
前記第１の取付空間７１はアロマセラピー瓶５１を固定するように構成され、前記第２の
取付空間７２はバブルポンプ３を取付るように構成されている、
ことを特徴とする請求項４に記載のアロマセラピー機能付きリキッドハンドソープマシン
。
【請求項６】
前記第１の取付空間７１の頂端に第３の取付空間７３が設けられ、前記第３の取付空間７
３は霧化フィルム５２を取付けるように構成されている、
ことを特徴とする請求項５に記載のアロマセラピー機能付きリキッドハンドソープマシン
。
【請求項７】
前記第２の取付空間７２は蓄電池を取り付けるように構成されている、
ことを特徴とする請求項６に記載のアロマセラピー機能付きリキッドハンドソープマシン
。
【請求項８】
前記ケース１内にさらに蓄電池が備えられ、前記蓄電池はバブルポンプ３および霧化フィ
ルム５２に電力を供給するように構成されている、
ことを特徴とする請求項７に記載のアロマセラピー機能付きリキッドハンドソープマシン
。
【請求項９】
前記蓄電池はリチウム電池である、
ことを特徴とする請求項３に記載のアロマセラピー機能付きリキッドハンドソープマシン
。
【考案の詳細な説明】
【技術分野】
【０００１】
本考案は家電の技術分野に関し、特にアロマセラピー機能付きリキッドハンドソープマシ
ンに関する。
【背景技術】
【０００２】
トイレには手を洗うための洗剤が置いてあります。
トイレの空間が狭くて風通しが悪いです。他のにおいがよくします。
しかし、既存の技術では、ハンドソープマシンは異臭を除去する機能がありません。
中国実用新案特許CN 208677223 Uには自動の泡ハンドソープ機が公開されました。
【０００３】
自動の泡ハンドソープ機、以下を含むことを特徴とする：
胴体、前記胴体は以下を含む：ハウジング、ノズル、第１のピペット、泡発生装置及び誘
導装置；
そのうち、前記ノズル機構は前記胴体の上部に、そして前記ハウジングに向かう外部設置
に適することで泡ハンドソープを吐出する；
前記第１のピペットは前記胴体に設置し、そして前記ハウジングの少なくとも一部を通る
ことで前記ハウジングの内部与外部と連通する；
前記泡発生装置は前記ハウジングの内部に設置し、それは動作信号を受信することができ
、且つ前記動作信号の制御下に前記第１のピペットからハンドソープを吸入しハンドソー
プの泡を生成し、且つ生成の前記ハンドソープの泡に前記ノズルを介して吐出させる；
前記誘導装置は前記胴体に設置して且つ与前記泡発生装置接続して、前記誘導装置は近づ
いた人体を検出することを用いて、そして近づいた人体を検出した後前記動作信号を生成
する；
及び
液ボトル接続手段、前記液ボトル接続手段は液ボトルに取り付けて前記胴体上に且つ前記
液ボトルの与前記ハウジングを一体を構成させることに適する。
【０００４】
そのため、においを除去できるハンドソープマシンが必要です。既存の技術の問題を置き
換える必要があります。
【考案の概要】
【０００５】
本実用新案の目的は、従来技術に存在した上記の問題に対して、特にアロマセラピー機能
付きリキッドハンドソープマシンを提供し、既存のハンドソープマシンでは異臭を除去で
きない問題を解決することである。
【０００６】
アロマセラピー機能付きリキッドハンドソープマシンであって、
前記アロマセラピー機能付きリキッドハンドソープマシンは、ケース１と、保存瓶２と、
バブルポンプ３と、および霧化装置とを含み、
前記保存瓶２はケース１の底部に設置されており、
前記バブルポンプ３は保存瓶２に連通し、ケース１内の洗手液を吸い取り、バブル化させ
るように構成されており、
前記ケース１上に出液口１１が設置され、前記出液口１１はバブルポンプ３に連通し、前
記バブルポンプ３で吸い取ったバブル化した液体を出液口１１を介して排出させるように
構成されており、
前記霧化装置は、ケース１外に水噴霧を排出するようにケース１内に取り付けられている
。
【０００７】
好ましくは、前記霧化装置は、アロマセラピー瓶５１と、霧化フィルム５２と、綿棒５３
とを含み、
前記アロマセラピー瓶５１の内でアロマセラピー液を保存するように構成されており、
前記綿棒５３は、アロマセラピー瓶５１に嵌合し、アロマセラピー瓶５１内に保存するア
ロマセラピー液を吸着するように構成されており、
前記霧化フィルム５２は綿棒５３の上端部に接触するように構成されている。
【０００８】
好ましくは、前記霧化フィルム５２は超声波振動フィルムである。
【０００９】
好ましくは、前記ケース１に端蓋６が設けられ、前記端蓋６に水噴霧口６１が設けられて
いる。
【００１０】
好ましくは、前記ケース１内にさらに取付フレーム７が取付けられ、前記取付フレーム７
は第１の取付空間７１と第２の取付空間７２を備えており、
前記第１の取付空間７１はアロマセラピー瓶５１を固定するように構成され、前記第２の
取付空間７２はバブルポンプ３を取付るように構成されている。
好ましくは、前記第１の取付空間７１の頂端に第３の取付空間７３が設けられ、前記第３
の取付空間７３は霧化フィルム５２を取付けるように構成されている。
【００１１】
好ましくは、前記第２の取付空間７２は蓄電池を取り付けるように構成されている。
【００１２】
好ましくは、前記ケース１内にさらに蓄電池が備えられ、前記蓄電池はバブルポンプ３お
よび霧化フィルム５２に電力を供給するように構成されている。
【００１３】
好ましくは、前記蓄電池はリチウム電池である。
【００１４】
本実用新案に係るアロマセラピー機能付きリキッドハンドソープマシンの有利な効果は以
下の通りである。
（１）霧化装置の設計によって、手を洗う液機は自動的に手を洗う液以外にも噴霧できる
。トイレ内の臭いを隠すために、手を洗う液機の機能を追加した。トイレの中には別途の
薫製設備を置かなくてもよい。トイレの空間を節約した。
（２）架台の設計により、手洗い液機の組立がより便利になる。
超音波振動膜の設計により、アロマ液の霧化がより簡単に早くなる。
【図面の簡単な説明】
【００１５】
【図１】本実用新案のアロマセラピー機能付きリキッドハンドソープマシンの全体構成図である。
【図２】本実用新案のアロマセラピー機能付きリキッドハンドソープマシンの分解図である。
【図３】本考案のアロマセラピー機能付きリキッドハンドソープマシンの霧化装置の全断面図である。
【図４】本実用新案のアロマセラピー機能付きリキッドハンドソープマシンの取付フレームの全断面図である。
【００１６】
［符号の説明］
ケース  １
保存瓶  ２
バブルポンプ  ３
端蓋  ６
取付フレーム  ７
出液口  １１
アロマセラピー瓶  ５１
霧化フィルム  ５２
綿棒  ５３
水噴霧口  ６１
第１の取付空間  ７１
第２の取付空間  ７２
第３の取付空間  ７３
【考案を実施するための形態】
【００１７】
以下、図面及び実施例とともに、本考案の具体的な実施形態について詳細に説明する。以
下の実施例は、本実用新案を説明するために用いられるが、本実用新案の範囲を制限する
ために用いることはできない。
【００１８】
実施例１:
アロマセラピー機能付きリキッドハンドソープマシンの構成は、図１〜４に示されるよう
に、ケース１と、保存瓶２と、バブルポンプ３と、霧化装置と、端蓋６と、および蓄電池
とを含む。
前記保存瓶２はケース１の底部に設置される。端蓋６はケース１の頂部に蓋設される。
前記バブルポンプ３、霧化装置および蓄電池はいずれもケース１の内部に設置される。蓄
電池は好ましくはリチウム電池であり、バブルポンプ３と霧化装置に電力を供給するため
に構成される。
バブルポンプ３は保存瓶２に連通し、ケース１内の洗手液を吸い取り、バブル化させるた
めに構成される。ケース１上に出液口１１が設置される。出液口１１はバブルポンプ３に
連通する。バブルポンプ３で吸い取ったバブル化した液体は出液口１１を介して排出する
。
端蓋６に水噴霧口６１が設けられている。霧化装置は水噴霧口６１からアロマセラピー機
能付き水噴霧を噴出する。お手洗い内の臭いを遮蔽する用に供する。
霧化装置は、アロマセラピー瓶５１と、霧化フィルム５２と、および綿棒５３とを含む。
アロマセラピー瓶５１内でアロマセラピー液を保存するように構成される。綿棒５３はア
ロマセラピー瓶５１に嵌合され、アロマセラピー瓶５１内で保存するアロマセラピー液を
吸着する用に供する。霧化フィルム５２は綿棒５３の上端部に接触するように構成される
。
霧化フィルム５２は超声波振動フィルムであり、超声波振動によって綿棒５３で吸着した
アロマセラピー液を振動させ、水噴霧を形成し、快速に空気中へ散発させる。
【００１９】
実施例２:
リキッドハンドソープマシンを便利に組み立てるために、上記実施例１の上で、本実施例
は、ケース１に取付フレーム７を増設するとともに、取付フレーム７は第１の取付空間７
１、第２の取付空間７２および第３の取付空間７３を備えるように構成形態を実施する。
第２の取付空間７２は、取付バブルポンプ３と蓄電池を取り付けるために用いられる。第
１の取付空間７１はアロマセラピー瓶５１を固定するために用いられる。第３の取付空間
７３は霧化フィルム５２を取り付けるために用いられる。取付フレーム７を設けると、各
部件はより適合にケース１内部に固定される。
【００２０】
以上は、本実用新案の好適な実施形態だけであり、本技術分野の一般の技術者にとって、
本実用新案技術原理を逸脱しないことを前提に、若干の改良と改変を行うことができ、こ
れらの改良と改変も本実用新案の保護範囲内と見なすべきであることを指摘する。
【図１】
0003233307.tif 000003
【図２】
0003233307.tif 000004
【図３】
0003233307.tif 000005
【図４】
0003233307.tif 000006
【手続補正書】
【提出日】令和3年5月27日(2021.5.27)
【手続補正１】
【補正対象書類名】実用新案登録請求の範囲
【補正対象項目名】全文
【補正方法】変更
【補正の内容】
【実用新案登録請求の範囲】
【請求項１】
アロマセラピー機能付きリキッドハンドソープマシンであって、
ケース１と、保存瓶２と、バブルポンプ３と、および霧化装置とを含み、
前記保存瓶２はケース１の底部に設置されており、
前記バブルポンプ３は保存瓶２に連通し、ケース１内の洗手液を吸い取り、バブル化させ
るように構成されており、
前記ケース１上に出液口１１が設置され、前記出液口１１はバブルポンプ３に連通し、前
記バブルポンプ３で吸い取ったバブル化した液体を出液口１１を介して排出させるように
構成されており、
前記霧化装置は、ケース１外に水噴霧を排出するようにケース１内に取り付けられている
、
ことを特徴とするアロマセラピー機能付きリキッドハンドソープマシン。
【請求項２】
前記霧化装置は、アロマセラピー瓶５１と、霧化フィルム５２と、綿棒５３とを含み、
前記アロマセラピー瓶５１の内でアロマセラピー液を保存するように構成されており、
前記綿棒５３は、アロマセラピー瓶５１に嵌合し、アロマセラピー瓶５１内に保存するア
ロマセラピー液を吸着するように構成されており、
前記霧化フィルム５２は綿棒５３の上端部に接触するように構成されている、
ことを特徴とする請求項１に記載のアロマセラピー機能付きリキッドハンドソープマシン
。
【請求項３】
前記霧化フィルム５２は超声波振動フィルムである、
ことを特徴とする請求項２に記載のアロマセラピー機能付きリキッドハンドソープマシン
。
【請求項４】
前記ケース１に端蓋６が設けられ、前記端蓋６に水噴霧口６１が設けられている、
ことを特徴とする請求項３に記載のアロマセラピー機能付きリキッドハンドソープマシン
。
【請求項５】
前記ケース１内にさらに取付フレーム７が取付けられ、前記取付フレーム７は第１の取付
空間７１と第２の取付空間７２を備えており、
前記第１の取付空間７１はアロマセラピー瓶５１を固定するように構成され、前記第２の
取付空間７２はバブルポンプ３を取付るように構成されている、
ことを特徴とする請求項４に記載のアロマセラピー機能付きリキッドハンドソープマシン
。
【請求項６】
前記第１の取付空間７１の頂端に第３の取付空間７３が設けられ、前記第３の取付空間７
３は霧化フィルム５２を取付けるように構成されている、
ことを特徴とする請求項５に記載のアロマセラピー機能付きリキッドハンドソープマシン
。
【請求項７】
前記第２の取付空間７２は蓄電池を取り付けるように構成されている、
ことを特徴とする請求項６に記載のアロマセラピー機能付きリキッドハンドソープマシン
。
【請求項８】
前記ケース１内にさらに蓄電池が備えられ、前記蓄電池はバブルポンプ３および霧化フィ
ルム５２に電力を供給するように構成されている、
ことを特徴とする請求項７に記載のアロマセラピー機能付きリキッドハンドソープマシン
。
【請求項９】
前記蓄電池はリチウム電池である、
ことを特徴とする請求項７に記載のアロマセラピー機能付きリキッドハンドソープマシン
。